(57)【特許請求の範囲】
【請求項１】
一方を開口とし対向する他方にバルブ交換孔を設けたハウジングと、一端を開口とする前面レンズとが互いの開口端部を封着して形成した灯室内に、
バルブと、カプラと、リフレクタと、前記バルブ及び前記カプラを固定するブラケットを収容してなる車両用灯具であって、
前記リフレクタは、前面側に反射面を有し、
前記バルブは、該バルブに一体化されたコネクタを有し、
前記ハウジングは、前記灯室外に導出されたワイヤハーネスを固定するクランプが形成され、
前記カプラは、ブラケット抱持脚部と、前記ブラケット抱持脚部の先端部に設けられたブラケット係止フックを有し、
前記ブラケットは、平板部と、前記平板部の中央に設けられたバルブ挿通孔と、前記バルブ挿通孔の下部に連通するかたちで下方へと延びるカプラ保持孔と、前記カプラ保持孔の下方に設けられたカプラ支持部を有し、
前記リフレクタの後方には前記ブラケットが固定されており、
前記リフレクタが、前記バルブ交換孔から前記前面レンズ側に所定の距離を置いた位置に前記反射面を前記前面レンズ側に向けた状態で取り付けられており、
前記カプラを上方から下方に押し下げ、前記ブラケット係止フックが前記カプラ支持部に係合されることで、前記カプラが前記ブラケットの下部領域に支持固定されており、
前記コネクタと前記カプラとが嵌合して電気的接続が行われていることを特徴とする車両用灯具。
【請求項２】
前記カプラ支持部は、前記ブラケット抱持脚部の幅に対応する間隔をもって後方に突出した一対の小突出部を有し、
前記ブラケット係止フックは、前記一対の小突出部の間をスライドしながら上方から下方に押し下げられることで、前記一対の小突出部に挟まれた状態で前記ブラケットに支持固定されることを特徴とする請求項１に記載の車両用灯具。
【発明の詳細な説明】
【技術分野】
【０００１】
本発明は、車両用灯具に関するものであり、詳しくは、ハウジングの前面開口の開口端部に前面レンズの一端開口の開口端部を気密に封着して灯室が形成され、灯室内に光源と該光源が装着されたリフレクタとを備えた光学ユニットが収容されてなる車両用灯具に関する。
【背景技術】
【０００２】
この種の車両用灯具に用いられる光学ユニット９０としては、図１６に示す構成のものが特開２０１０−１７０８１１号公報に従来例として紹介されている。それは、リフレクタ８０の裏面に円板状のホルダ８１が固定され、該ホルダ８１の外周部端面に、光源のバルブが装着された口金部８２に立設された端子８３と同数の端子溝８４が形成されたカプラ８５が取り付けられている。
【０００３】
そして、バルブをホルダ８１の中心部に形成された係合孔に挿通して所定の角度だけ回動することにより、バヨネット構造によってホルダ８１に固定すると共に、各端子８３をカプラ８５の夫々の端子溝８４に係合して電気的な接合を図ったものである（例えば、特許文献１参照。）。
【先行技術文献】
【特許文献】
【０００４】
【特許文献１】実開平５−２３０１号公報
【発明の概要】
【発明が解決しようとする課題】
【０００５】
ところで、上記構成の光学ユニットを灯室内に収容するためには、予めハウジングに光学ユニットをリフレクタを介して支持固定し、その後、ハウジングの開口端部に前面レンズの開口端部を気密に封着することにより光学ユニットを収容した灯室を形成するものである。
【０００６】
光学ユニットをハウジングに支持固定するについては、リフレクタを該リフレクタの凹状の反射面を手前に向けた状態でハウジングの開口から奥側に向かって所定の位置まで差し入れてハウジングに固定して支持するものである。
【０００７】
この時、リクレクタの反射面と反対側（後側）には、複数の電線からなるワイヤハーネスが接続されたカプラが位置しているが、リフレクタがハウジングに支持固定された状態においてはリフレクタの後側には手が届かないためワイヤハーネスの配線処理が難しい。
【０００８】
そこで、光学ユニットをハウジング内に差し入れる前に予めワイヤハーネスの配線処理を施しておく必要がある。その方法の一つは、カプラから延びたワイヤハーネスをハウジング内に設けられたワイヤハーネス固定用クランプに固定し、その先をハウジングに設けられたワイヤハーネス挿通孔に挿通して灯具外に導出させ、その後、光学ユニットをハウジング内に差し入れて支持固定する方法と、もう一つの方法は、カプラから延びたワイヤハーネスをハウジングに設けられたワイヤハーネス挿通孔に挿通して灯具外に導出させ、灯具外に導出させたワイヤハーネスを引っ張りながら光学ユニットをハウジング内に差し入れて支持固定する方法とがある。
【０００９】
ところで前者の方法は、カプラからワイヤハーネスが固定されるワイヤハーネス固定用クランプまでのワイヤハーネスの長さが長くなり、光学ユニットを灯室内に収納した状態においてはその部分が拘持されないフリーの状態になる。その結果、車両走行時の振動や衝撃がワイヤハーネスのフリー部分に加わってカプラの根元部分に断続的な力が加わり、破損や切断を生じる恐れがある。
【００１０】
また、余分な長さのワイヤハーネスが必要となるため、材料費が高騰して製造コストを上昇させることになる。
【００１１】
一方、後者の方法は、光学ユニットを灯室内に収納した状態においては、ワイヤハーネスは灯室内で拘持されていないため、上記同様に車両走行時の振動や衝撃によってカプラの根元部分で破損や切断を生じる恐れがある。
【００１２】
いずれにしても上記方法は、車両用灯具の組み付け時の作業性に問題があり、車両用灯具自体の信頼性いついても確実に確保することが難しいといった問題点を有している。
【００１３】
そこで、本発明は上記問題に鑑みて創案なされたもので、その目的とするところは、組み付け時の作業性に優れ且つ信頼性の高い車両用灯具を廉価の製造コストで実現することにある。
【００１４】
上記課題を解決するために、本発明の請求項１に記載された発明は、一方を開口とし対向する他方にバルブ交換孔を設けたハウジングと、一端を開口とする前面レンズとが互いの開口端部を封着して形成した灯室内に、
バルブと、カプラと、リフレクタと、前記バルブ及び前記カプラを固定するブラケットを収容してなる車両用灯具であって、前記リフレクタは、前面側に反射面を有し、前記バルブは、該バルブに一体化されたコネクタを有し、前記ハウジングは、前記灯室外に導出されたワイヤハーネスを固定するクランプが形成され、前記カプラは、ブラケット抱持脚部と、前記ブラケット抱持脚部の先端部に設けられたブラケット係止フックを有し、前記ブラケットは、平板部と、前記平板部の中央に設けられたバルブ挿通孔と、前記バルブ挿通孔の下部に連通するかたちで下方へと延びるカプラ保持孔と、前記カプラ保持孔の下方に設けられたカプラ支持部を有し、前記リフレクタの後方には前記ブラケットが固定されており、前記リフレクタが、前記バルブ交換孔から前記前面レンズ側に所定の距離を置いた位置に前記反射面を前記前面レンズ側に向けた状態で取り付けられており、前記カプラを上方から下方に押し下げ、前記ブラケット係止フックが前記カプラ支持部に係合されることで、前記カプラが前記ブラケットの下部領域に支持固定されており、前記コネクタと前記カプラとが嵌合して電気的接続が行われていることを特徴とするものである。
【００１５】
また、本発明の請求項２に記載された発明は、請求項１において、前記カプラ支持部は、前記ブラケット抱持脚部の幅に対応する間隔をもって後方に突出した一対の小突出部を有し、前記ブラケット係止フックは、前記一対の小突出部の間をスライドしながら上方から下方に押し下げられることで、前記一対の小突出部に挟まれた状態で前記ブラケットに支持固定されることを特徴とするものである。
【発明の効果】
【００１８】
本発明の車両用灯具は、ハウジングのバルブ交換孔から所定の距離を置いた位置にバルブ及びカプラ固定用ブラケットが取り付けられたリフレクタを配置し、リフレクタに装着されたバルブに給電するためのカプラを、バルブ及びカプラ固定用ブラケットのバルブ交換孔の投影領域の下部領域に固定し、バルブ交換孔の投影領域の中央領域カプラ取付作業の作業領域としてバルブ交換孔を通してバルブ及びカプラ固定用ブラケットにカプラを取り付けることができるようにした。
【００１９】
その結果、余分な長さのワイヤハーネスが不要となるため、材料費が抑制されて製造コストの上昇を抑えることができる。それと同時に、光学ユニットを灯室内に収納した状態においてワイヤハーネスが灯室内で拘持されるため、車両走行時の振動や衝撃によるカプラの根元部分での破損や切断が防止され、優れた信頼性を確保することができる。
【００２０】
また、バルブ交換孔の投影領域の中央領域をカプラ取り付けの作業領域として使用することができ、この作業領域内の上方から下方にカプラを押し下げることによりバルブ及びカプラ固定用ブラケットに容易に支持固定することができる。つまり、組み付け作業の作業性に優れた灯具ということができる。
【００２１】
更に、バルブ及びカプラ固定用ブラケットのバルブ交換孔の投影領域の下部領域の位置に、一対の小突出部をカプラの幅に対応する間隔をもって設けた。これにより、カプラをバルブ及びカプラ固定用ブラケットに組み付ける際には該カプラは一対の小突出部の間をスライドしながら上方から下方に押し下げられ、カプラがバルブ及びカプラ固定用ブラケットに組み付けられた際には該カプラが一対の小突起部に挟まれた状態で支持固定される。
【００２２】
その結果、一対の小突起部は、カプラをブラケットに組み付ける際の押し下げ方向に対するガイドの役割を担うものであり、組み付け作業の容易性及び確実性を向上させるものとなる。それと同時に、カプラがバルブ及びカプラ固定用ブラケットに組み付けられた際にはカプラに加わる外力を抑制する役割を担うものであり、外力に対してバルブ及びカプラ固定用ブラケットに対するカプラの固定を確実に保持して機械的信頼性を高めるものとなる。
【図面の簡単な説明】
【００２３】
【図１】本発明に係わる実施形態の車両用灯具に用いられる光学ユニットの構成を示す説明図である。
【図２】図１のＡ−Ａ断面説明図である。
【図３】本実施形態の小突出部とは異なる形状の小突出部の例を示す説明図である。
【図４】実施形態を構成するカプラの説明図である。
【図５】実施形態を構成するハウジングの内部構造を示す説明図である。
【図６】実施形態におけるリフレクタに対するブラケットの取付説明図である。
【図７】実施形態におけるハウジングに対するリフレクタの取付説明図である。
【図８】実施形態におけるブラケットに対するカプラの取付説明図である。
【図９】同じく、実施形態におけるブラケットに対するカプラの取付説明図である。
【図１０】同じく、実施形態におけるブラケットに対するカプラの取付説明図である。
【図１１】実施形態におけるリフレクタに対するバルブの装着説明図である。
【図１２】同じく、実施形態におけるリフレクタに対するバルブの装着説明図である。
【図１３】実施形態におけるブラケットに対するカプラの装着説明図である。
【図１４】実施形態に係わる車両用灯具の説明図である。
【図１５】同じく、実施形態に係わる車両用灯具の説明図である。
【図１６】従来例の説明図である。
【発明を実施するための形態】
【００２４】
以下、この発明の好適な実施形態を図１〜図１５を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２５】
本発明の車両用灯具は、ハウジングの前面開口の開口端部に前面レンズの一端開口の開口端部を気密に封着して灯室が形成され、灯室内に光源と該光源が装着されたリフレクタとを備えた光学ユニットが収容されてなるものである。
【００２６】
図１は本発明に係わる実施形態の車両用灯具（以下、灯具と略称する）に用いられる光学ユニットの構成を示す説明図（斜め後方から見た立体分解図）である。
【００２７】
光学ユニット１は主に、リフレクタ２、バルブ及びカプラ固定用ブラケット（以下、ブラケットと略称する）１０、バルブ２０及びカプラ３０を備えている。
【００２８】
そのうちリフレクタ２は、例えば樹脂材料からなり、その形状が前方に向けて曲線状に開いた湾曲状を呈すると共にバルブ装着孔３が設けられており、凹状の内面はアルミ蒸着膜等の反射処理が施されて略曲面反射面４となっている。裏側にはバルブ装着孔３を囲むように裏面から立ち上がって後方に延びるブラケット取付用リブ５が設けられ、ブラケット取付用リブ５の先端にはブラケット固定用ネジ穴６が設けられている
【００２９】
ブラケット１０は、金属材料からなり、平板部１１と該平板部１１の外周縁部に沿って略垂直に立ち上がるフランジ部１２を有し、平板部１１の中央部にバルブ挿通孔１３と、該バルブ挿通孔１３の所定の位置（後述するバルブのフランジ部に形成された係止爪に対応する位置）から放射状に延びる係止切欠部１４と、同様にバルブ挿通孔１３の下部から下方に延びるカプラ（後述する）保持孔１５が設けられ、カプラ保持孔１５の下方にカプラ（後述する）支持部１７が設けられると共に、ネジ挿通孔１６も設けられている。
【００３０】
また、ブラケット１０のカプラ支持部１７には、図２（図１のＡ−Ａ断面説明図）に示すように、フランジ部１２の立ち上がる方向と同一方向に向かって突出した一対の小突出部１８が、後述するカプラ３０のブラケット抱持脚部３５の幅に対応する間隔をもって設けられている。この小突出部１８は本実施形態においてはプレス加工によって形成されるものであるが、形成方法はこれに限られるものではなく、例えば図３（小突出部の説明図）に示すように、打ち抜き及び折り曲げ加工によって立爪１９を形成することも可能である。
【００３１】
バルブ２０は、発光部となるガラスバルブ２１と、該ガラスバルブ２１が装着されたバルブソケット２２を有しており、バルブソケット２２には前記ブラケット１０の係止切欠部１４に嵌入される係止爪２３が放射状に突出しており、且つ、ブラケット１０の平板部１１に当接するためのフランジ部２４が設けられており、更に、外部からの電力を受電するコネクタ部２５が一体化されている。
【００３２】
コネクタ部２５は、ガラスバルブ２１の中心軸（Ｘ）方向に所定の間隔で平行に並設された複数（本実施形態では３つ）の雄型ターミナル２６が半径方向に突出している。この雄型ターミナル２６の夫々はガラスバルブ２１内に配置された発光電極（図示せず）の夫々に電気的に接続されている。
【００３３】
カプラ３０は、前記コネクタ部２５の雄型ターミナル２６に対応する間隔及び数のターミナル挿入溝３１が設けられており、ターミナル挿入溝３１の夫々にはワイヤハーネス３２の各電線３３に圧着された雌型ターミナル３４が配設されている。
【００３４】
また、ターミナル挿入溝３１が配列された方向の一方の側面側には、該側面のターミナル挿入溝３１の開口側から側方に延びて側面に沿って曲げられたブラケット抱持脚部３５が形成されており、その先端部には側面側に突出するブラケット係止フック３６が形成されている（図４（カプラの縦断面図）参照）。
【００３５】
そこで、このような構成部材からなる光学ユニット１を灯室内に組み付けるには、以下の組付手順が採られる。
【００３６】
まず、図５（ハウジングの内部構造を示す説明図）にあるように、予め、ハウジング４０の下部に設けられたワイヤハーネス挿通孔４１にカプラ３０が接続されたワイヤハーネス３２を通し、ワイヤハーネス３２をカプラ３０から所定の長さのところでハウジング４０のバルブ交換穴４２の近傍に設けられたワイヤハーネス固定用クランプ４３に固定する。
【００３７】
また、同様に予め図６（リフレクタに対するブラケットの取付説明図）に示すように、リフレクタ２の裏面のブラケット取付用リブ５に、ブラケット１０の平板部１１を該ブラケット１０のフランジ部１２をリフレクタ２側に向けて当てがい、ネジ５０をブラケット１０のネジ挿通孔１６に挿通してブラケット取付用リブ５のブラケット固定用ネジ穴６に螺嵌して、リフレクタ２のブラケット取付用リブ５にブラケット１０を取り付ける。
【００３８】
そして図７（ハウジングに対するリフレクタの取付説明図）にあるように、上述のブラケット１０が取り付けられたリフレクタ２をハウジング４０内に、該リフレクタ２の凹状の略曲面反射面４をハウジング４０の前面開口側に向けて取り付ける。このとき、リフレクタ２は、該リフレクタ２に取り付けられたブラケット１０がハウジング４０のバルブ交換孔４２から所定の距離を置いた位置に位置するように配置されている。
【００３９】
このとき、ハウジング４０のバルブ交換孔４２とリクレクタ２との間の該バルブ交換孔４２の投影領域内の位置、言い換えると、ハウジング４０の後方からバルブ交換孔４２を通して見える位置に、ワイヤハーネス３２が接続されたカプラ３０が遊動可能に位置しており、同様に、バルブ交換孔４２の投影領域の下部領域にカプラ支持部１７が位置している。
【００４０】
ここまでの組み付けは、ハウジング４０に前面レンズが装着されていない状態で行われるものであるが、以降の組み付け作業はハウジング４０に前面レンズを封着した後にバルブ交換孔４２を通して行われる。
【００４１】
それは図８（ブラケットに対するカプラの取付説明図（断面図））にあるように、ハウジング４０のバルブ交換孔４２から灯室６０内に手を差し入れてカプラ３０を掴み、ブラケット１０の下部に位置するカプラ保持孔１５にカプラ３０のブラケット抱持脚部３５を挿入してカプラ保持孔１５の下部に位置するカプラ支持部１７に沿って下方に押し下げ、ブラケット抱持脚部３５に形成されたブラケット係止フック３６をカプラ支持部１７の下端に係止する。
【００４２】
このとき、カプラ３０は、図９（（ブラケットに対するカプラの取付説明図（ブラケットをフランジ部の立ち上がり方向から見た図））に示すように、ブラケット抱持脚部３５が一対の小突出部１８に挟まれてその間をスライドしながら上方から下方に押し下げられる。  つまり、一対の小突出部１８は、カプラ３０をブラケット１０に組み付ける際の押し下げ方向に対するガイドの役割を担うものである。
【００４３】
すると、ブラケット１０のカプラ支持部１７が、カプラ３０の側面２７とブラケット抱持脚部３５とブラケット係止フック３６とで抱持され、結果的に図１０（ハウジングに対するリフレクタの取付説明図）にあるように、カプラ３０がブラケット１０の下部に支持されることになる。このとき、ハウジング４０のバルブ交換孔４２に対するカプラ３０の位置は、バルブ交換孔４２の投影領域の下部領域にカプラ３０が位置することになる。なお、カプラ３０の位置する方向は、ターミナル挿入溝３１をガラスバルブ２１の中心軸（Ｘ）を通る鉛直方向に垂直な方向とするものである。
【００４４】
なお、このような、ブラケット１０に対するカプラ３０の取り付け作業をハウジング４０のバルブ交換孔４２を通して容易に行うことができるのは、ブラケット１０のカプラ３０を取り付ける部分となるカプラ支持部１７をバルブ交換孔４２の投影領域の下部領域に位置させたためであり、そのため、バルブ交換孔４２の中央部をカプラ取り付けの作業領域として使用できるためである。
【００４５】
最後に図１１（リフレクタに対するバルブの装着説明図）に示すように、ハウジング４０の後方から該ハウジング４０のバルグ交換孔４２を通して灯室６０内にバルブ２０を挿入し、バルブ２０のガラスバルブ２１がブラケット１０のバルブ挿通孔１３及びリフレクタ２のバルブ装着孔３を順次挿通するように押し進め、ブラケット１０の係止切欠部１４にバルブ２０の係止爪２３を係合させて更にバルブ２０のフランジ部２４がブラケット１０に当接するまで押し進める。
【００４６】
そして、バルブ２０のフランジ部２４をブラケット１０に押し付けながら所定の位置まで回動することにより、バルブ２０の係止爪２３とフランジ部２４とでブラケット１０を挟み込んだ状態でバルブ２０がブラケット１０に支持固定される。
【００４７】
それと同時に、ブラケット１０に取り付けられたカプラ３０のターミナル挿入溝３１の夫々にバルブ２０のコネクタ部２５から突出した雄型ターミナル２６の夫々が挿入されて、ターミナル挿入溝３１の夫々に配設された雌型ターミナル３４とコネクタ部２５の雄型ターミナル２６が電気的に接続される図１２（リフレクタに対するバルブの装着説明図）参照）。
【００４８】
このとき、図１３（（ブラケットに対するカプラの装着説明図（ブラケットをフランジ部の立ち上がり方向から見た図））に示すように、カプラ３０をブラケット１０に組み付けた状態において、カプラ３０に対して、ブラケット１０に設けられた一対の小突出部１８同士を結ぶ直線方向、又はブラケット１０の平板部１１に垂直な線を回転軸とする回転方向に加わる外力は、ブラケット抱持脚部３５を挟む一対の小突出部１８によって抑制され、カプラ３０の不安定な動きや、或いは最悪の場合カプラ３０がブラケット１０から脱落するといった不具合の発生が防止される。
【００４９】
具体的には、ブラケット１０に組み付けられたカプラ３０に対して、カプラ３０のターミナル挿入溝３１の夫々に配設された雌型ターミナル３４とコネクタ部２５の雄型ターミナル２６を接続するときの力、或いは車両走行時の振動や衝撃が加わっても、ブラケット１０に対するカプラ３０の固定を確実に保持して脱落を防止することができる。つまり、一対の小突出部１８は、カプラ３０に外力が加わった際のブラケット１０に対する固定保持の役割を担うものである。
【００５０】
なお、一対の小突出部１８は本実施形態においては、ブラケット１０のフランジ部１２の立ち上がる方向と同一方向に向かって突出して設けたが、突出方向はこれに限られるものではなく、カプラ３０やブラケット１０の構造等によっては本実施形態の反対側或いは両側に設けることも可能である。
【００５１】
このような組み付け手順により、図１４（灯具の説明図（断面図））及び図１５（灯具の説明図（斜視図）に示すように、ハウジング４０と前面レンズ７０とで形成された灯室６０内に光学ユニット１が収容され、ワイヤハーネス３２が接続されたカプラ３０を介して外部からの電力を受電することによりガラスバルブ２１からの照射光を得ることができる。
【００５２】
以上の説明からわかるように、本発明の車両用灯具は、ワイヤハーネス３２を接続したカプラ３０を前面レンズを装着する前のハウジング４０内に、ワイヤハーネス３２に遊びの部分を設けることなく必要最低限の長さで配線することが可能となった。
【００５３】
その結果、余分な長さのワイヤハーネスが不要となるため、材料費が抑制されて製造コストの上昇を抑えることができる。それと同時に、光学ユニットを灯室内に収納した状態においてワイヤハーネスが灯室内で拘持されるため、車両走行時の振動や衝撃によるカプラの根元部分での破損や切断が防止され、優れた信頼性を確保することができる。
【００５４】
更に、ブラケット１０のカプラ３０を取り付ける部分となるカプラ支持部１７をバルブ交換孔４２の投影領域の下部領域に位置させるものである。そのため、バルブ交換孔４２の中央部をカプラ取り付けの作業領域として使用することができ、この作業領域内の上方から下方にカプラ３０を押し下げることによりブラケット１０に容易に支持固定することができる。つまり、組み付け作業の作業性に優れた灯具ということができる。
【符号の説明】
【００５５】
１…  光学ユニット
２…  リフレクタ
３…  バルブ装着孔
４…  略曲面反射面
５…  ブラケット取付用リブ
６…  ブラケット固定用ネジ穴
１０…  バルブ及びカプラ固定用ブラケット（ブラケット）
１１…  平板部
１２…  フランジ部
１３…  バルブ挿通孔
１４…  係止切欠部
１５…  カプラ保持孔
１６…  ネジ挿通孔
１７…  カプラ支持部
１８…  小突出部
１９…  立爪
２０…  バルブ
２１…  ガラスバルブ
２２…  バルブソケット
２３…  係止爪
２４…  フランジ部
２５…  コネクタ部
２６…  雄型ターミナル
２７…  側面
３０…  カプラ
３１…  ターミナル挿入溝
３２…  ワイヤハーネス
３３…  電線
３４…  雌型ターミナル
３５…  ブラケット抱持脚部
３６…  ブラケット係止フック
４０…  ハウジング
４１…  ワイヤハーネス挿通孔
４２…  バルブ交換孔
４３…  ワイヤハーネス固定用クランプ
５０…  ネジ
６０…  灯室
７０…  前面レンズ
【図１】
0005933945.tif 000002
【図２】
0005933945.tif 000003
【図３】
0005933945.tif 000004
【図４】
0005933945.tif 000005
【図５】
0005933945.tif 000006
【図６】
0005933945.tif 000007
【図７】
0005933945.tif 000008
【図８】
0005933945.tif 000009
【図９】
0005933945.tif 000010
【図１０】
0005933945.tif 000011
【図１１】
0005933945.tif 000012
【図１２】
0005933945.tif 000013
【図１３】
0005933945.tif 000014
【図１４】
0005933945.tif 000015
【図１５】
0005933945.tif 000016
【図１６】
0005933945.tif 000017